(57)【要約】      （修正有）【課題】シール受座及び歪除去体を一体に備えた電気コネクタを提供する。【解決手段】ソケットコネクタ１００は、歪除去体１１０と、シール受座１１２とを一体的に備えている。コネクタ本体１０２は、端子ハウジング１０８と、歪除去体１１０と、シール受座１１２とを含む一体の歪除去部材１０６を有している。シール受座１１２は、シール受座囲い体によって形成され、このシール受座囲い体は、左側壁と、右側壁と、上壁と、この上壁と対向する下開口部１２４と、端子ハウジング壁１２０と、歪除去壁１２２と、を備えることを特徴とする。歪除去体１１０には、ソケットコネクタの端子空洞部１３４と整合した歪除去開口部１４２が設けられている。周縁にリブが形成されたゴム弾性のシールが、下開口部１２４を介して、シール受座１１２に密封をなして受け入れられている。シールの開口部は、端子空洞部１３４と整合している。【選択図】図２
2007200863.tif 000002
【特許請求の範囲】
【請求項１】
ソケットコネクタ（１００）であって、
前端（１０４）及び後端（１０５）を有するコネクタ本体（１０２）と、
前記コネクタ本体の前記後端に一体に接続された歪除去部材（１０６）と、を備えており、
前記歪除去部材は、
少なくとも一つの端子空洞部（１３４）有する端子ハウジング（１０８）と、
少なくとも一つの歪除去開口部（１４２）を有する歪除去体（１１０）と、を備えており、
前記歪除去開口部は、前記各端子空洞部に対して、一つずつ設けられており、前記各歪除去開口部は、前記各端子空洞部と、夫々整合しており、
前記歪除去部材は、また、
前記端子ハウジングと前記歪除去体との間に形成されたシール受座（１１２）を備えており、
前記ソケットコネクタは、また、
前記シール受座内に、密閉をなして受け入れ可能なシール（１５０）を備えている、ソケットコネクタ。
【請求項２】
請求項１に記載のソケットコネクタにおいて、
前記シール受座は、シール受座囲い体（１１５）によって形成されており、
該シール受座囲い体は、
前記端子ハウジングと前記歪除去体との間を延びる左側壁（１１４）と、
前記端子ハウジングと前記歪除去体との間を延びる右側壁（１１６）と、
前記端子ハウジングと前記歪除去体との間を延びる上壁（１１８）と、
前記端子ハウジングの端子ハウジング壁（１２０）と、を備えており、
前記端子ハウジング壁は、前記左側壁、前記右側壁、及び前記上壁に対して垂直に配向されており、
前記シール受座囲い体は、また、
前記歪除去体の歪除去壁（１２２）を備えており、
前記歪除去壁は、前記端子ハウジング壁に対して平行に配向されており、
下開口部（１２４）が、前記端子ハウジングと前記歪除去体との間に形成され、前記下開口部は、前記上壁と対向して配置されている、ソケットコネクタ。
【請求項３】
請求項２に記載のソケットコネクタにおいて、
前記シールは、
前面（１５２）と、
前記前面の反対側に配置された後面（１５４）と、
前記前面と前記後面との間を延びる周側壁（１５６）と、を備えており、
少なくとも一つのシール開口部（１６４）が、前記前面と前記後面との間を延びており、
前記シール開口部は、前記各端子空洞部対して、一つずつ設けられている、ソケットコネクタ。
【請求項４】
請求項３に記載のソケットコネクタにおいて、
前記シールは、更に、
前記前面及び前記後面の各々に夫々配置された単一の周縁リブ（１５８ａ、１５８ｂ）を備える、ソケットコネクタ。
【請求項５】
請求項４に記載のソケットコネクタにおいて、更に、
前記シールを、前記シール受座内の着座位置に保持するための手段（１６２、１２８、１３０、１３２）を備える、ソケットコネクタ。
【請求項６】
ソケットコネクタ（１００）において、
前端（１０４）及び後端（１０６）を有するコネクタ本体（１０２）と、
前記コネクタ本体の前記後端に一体に接続された歪除去部材（１０６）と、を備えており、
前記歪除去部材（１０６）は、
少なくとも一つの端子空洞部（１３４）を有する端子ハウジング（１０８）と、
少なくとも一つの歪除去開口部（１４２）を有する歪除去体（１１０）と、を備えており、
前記歪除去開口部（１４２）は、前記各端子空洞部に対して、一つずつ設けられており、
前記各歪除去開口部は、前記各端子空洞部と、夫々整合しており、
前記歪除去部材は、また、
前記端子ハウジングと前記歪除去体との間に形成されたシール受座（１１２）を備えており、
前記ソケットコネクタは、また、
前記シール受座内に、密封をなして受け入れ可能なシール（１５０）を備えており、
前記シールは、
前面（１５２）と、
前記前面に対向して配置された後面（１５４）と、
前記前面と前記後面との間を延びる周側壁（１５６）と、を有しており、
少なくとも一つのシール開口部（１６４）が、前記前面と前記後面との間を延びており、前記シール開口部は、前記各端子空洞部に対して、一つずつ設けられている、ソケットコネクタ。
【請求項７】
請求項６に記載のソケットコネクタにおいて、
前記シール受座は、シール受座囲い体（１１５）によって形成されており、
該シール受座囲い体は、
前記端子ハウジングと前記歪除去体との間を延びる左側壁（１１４）と、
前記端子ハウジングと前記歪除去体との間を延びる右側壁（１１６）と、
前記端子ハウジングと前記歪除去体との間を延びる上壁（１１８）と、
前記端子ハウジングの端子ハウジング壁（１２０）と、を備えており、
前記端子ハウジング壁は、前記左側壁、前記右側壁、及び前記上壁に対して垂直に配向されており、
前記シール受座囲い体は、また、
前記歪除去体の歪除去壁（１２２）を備えており、
前記歪除去壁は、前記端子ハウジング壁に対して平行に配向されており、
下開口部（１２４）が、前記端子ハウジングと前記歪除去体との間に形成され、前記下開口部は、前記上壁と対向して配置されている、ソケットコネクタ。
【請求項８】
請求項７に記載のソケットコネクタにおいて、
前記シールは、更に、
前記前面及び前記後面の各々に夫々配置された単一の周縁リブ（１５８ａ、１５８ｂ）を備える、ソケットコネクタ。
【請求項９】
請求項８に記載のソケットコネクタにおいて、
前記シールを、前記シール受座内の着座位置に保持するための手段（１６２、１２８、１３０、１３２）を備える、ソケットコネクタ。
【発明の詳細な説明】
【技術分野】
【０００１】
本発明は電気コネクタに関し、更に詳細には、電気ワイヤに対する一体のシール受座及び歪除去体（ストレイン・リリーフ；ｓｔｒａｉｎ ｒｅｌｉｅｆ）を有する電気ソケットコネクタであって、その一体のシール受座及び歪除去体が電気ワイヤに接続される電気ソケットコネクタに関する。
【背景技術】
【０００２】
囲い体（シュラウド）及びコネクタ係止部（コネクタロック）を有し、囲い体自体にアーム状係止部（ロックアーム）を組み込むことによって、コネクタ係止部を収容するための拡大部をなくした薄型（ロープロファイル）ソケットコネクタが、２００５年５月２４日に発行された米国特許第６，８９６，５２４号に開示されている。この特許を参照することにより、当該特許に開示された内容は本願に組み入れられているものとする。
【０００３】
次に、図１Ａ、図１Ｂ、及び図１Ｃを参照して、薄型ソケットコネクタ１０を説明する。薄型ソケットコネクタ１０は、端子ハウジング１４を有するコネクタ本体１２を有している。端子ハウジング１４の内部には、この端子ハウジング１４を通って延びる端子空洞部（ターミナルキャビティ）１６が配置されている。リードワイヤ１８ａ、１８ｂに取り付けられた雌電気端子（図示せず）が、端子空洞部１６の後端に挿入され、この端子空洞部１６内に端子受座１６ａを介して、従来の態様で保持される。この目的のため、任意の適当な雌電気端子及びリードワイヤを使用してもよい。
【０００４】
コネクタ本体１２は、環状の囲い体２０を含み、この囲い体２０は、垂直の端壁２２によって端子ハウジング１４の中間部分に一体に接続されている。囲い体２０及び端壁２２は、プラグコネクタ６０を受け入れるためのソケット２４を形成している。プラグコネクタ６０は、プラグコネクタ６０がソケット２４に差し込まれたときに、端子ハウジング１４の雌端子とかみ合う雄端子を有している。コネクタ本体１２は、プラグコネクタ６０をソケット２４内に保持するため、コネクタ係止部（コネクタロック）を有している。コネクタ係止部は、その全体が、参照番号２６で示されている。コネクタ係止部２６は、コネクタ本体１２の囲い体２０に組み込まれ、これにより、以下に説明されるように、薄型ソケットコネクタを提供することができる。
【０００５】
コネクタ係止部２６は、アーム又はビーム３０を備えている。アーム又はビーム３０は、囲い体２０自体の前方外壁部分３２と、端壁２２の後方に延びる囲い体２０の後方外壁部分３４とから形成されている。
【０００６】
アーム３０は、対をなした前後の通し溝部（貫通スロット）３６、３８によって形成されている（すなわち、アーム３０は、一対の前側の貫通スロット３６と、一対の後側の貫通スロット３８とによって形成されている）。これらの通し溝部３６、３８は、アーム３０の両側に対称をなして配置されており、前方外壁部分３２及び後方外壁部分３４を通って延びている。一対の前側の通し溝部３６は、図１Ａに最もよく示すように、囲い体２０の前方外壁部分３２と、該囲い体２０の後方外壁部分３４の前部分とを通って延びている。一対の後側の通し溝部３８は、後方外壁部分３４の後部分を通って延びている。
【０００７】
対をなした通し溝部３６及び３８は、両方とも、長さ方向部分及び横方向部分を有する。これにより、これら二対の通し溝部３６及び３８は、協働して、可撓性ストラップ４０を形成し、この可撓性ストラップ４０は、アーム３０を囲い体２０の外壁の残り部分、詳細には後方外壁部分３４、に接続する。
【０００８】
前側の通し溝部３６の対は、好ましくは、略Ｕ形状であり、そのため、可撓性ストラップ４２を囲い体２０の前端に形成する第２前方横部分が形成される。可撓性ストラップ４２は、囲い体２０に連続した前縁及び係合防止（ａｎｔｉ−ｔａｎｇｌｅ）の特性を提供するが、アーム３０の前部を外方に弓なりに曲げ、コネクタ係止部２６を以下に説明するように作動させる。後側の通し溝部３８は略Ｌ形状であり、そのため、アーム３０の後端は、押し込むことのできる「ポンプハンドル」解放レバー４４を形成している。この解放レバー４４は、囲い体２０の延長した後方外壁部分３４から自由である。
【０００９】
アーム３０は、係止尖端部（ロックニブ）４６を有している。この係止尖端部４６は、長さ方向でストラップ４０と４２との間に配置されており、ソケット２４内方へ延びている。アーム３０は、更に、三角形状の支点部４８を有している。この支点部４８は、ソケット２４の端壁２２の後側にある空間内に内方へ延びている。三角形状の支点部４８は、後方で外方へ傾斜している。端壁２２は、ソケット２４の内側端に、係止尖端部４６の成形を容易にするためにウィンドウ（開口部）を有している。そして、三角形状の支点部４８には、また、好ましくは、係止尖端部４６の型成形を更に容易にするため、係止尖端部４６と長さ方向で整合したスロットを含むことが好ましい。
【００１０】
コネクタ本体１２は、端壁２２に接続された三角形状の支点支持体５２を有している。この支点支持体５２は、後方で内方へ傾斜している。支点支持体５２は、支点部４８の下に配置されており、支点支持体５２の最高点が支点４８の最高点と実質的に整合している。これにより解放レバー４４を押し込み易くする。支点支持体５２は、更に、型成形を容易にするためのスロットを備えていてもよい。
【００１１】
薄型ソケットコネクタ１０は、図１Ｂ及び図１Ｃに示すように、ソケット２４内へ差し込まれる前方プラグ部分６２を含むプラグコネクタ６０と、嵌合している。
【００１２】
作動時には、アーム状係止部３０とストラップ４０及び４２とが可撓性であるため、プラグコネクタ６０のプラグ部分６２がソケット２４に差し込まれたときに、係止尖端部４６がプラグコネクタ６０のロック肩部（図示せず）上にスナップ嵌めする。かくして、係止尖端部４６はプラグコネクタ６０のプラグ部分６２をソケット２４内で保持する。プラグコネクタ６０を外すためには、「ポンプハンドル」解放レバー４４の端部を手で押し込むことにより、支点部４８が支点支持体５２に係合し、アーム状係止部３０の前方部分が外方へ弓なりに曲がり、係止尖端部４６がプラグコネクタ６０のロック肩部と係合した状態から外れる。次いで、プラグコネクタ６０が薄型ソケットコネクタ１０から遠ざかる方向へ引っ張られる。アーム状係止部３０は、好ましくは、囲い体２０の前端及び後方部分の両方で囲い体２０の残りの部分に連結されているが、アーム状係止部３０とストラップ４０及び４２との可撓性は、係止尖端部４６を持ち上げてプラグコネクタ６０のロック肩部と係合した状態から外れるのに十分となっている。
【００１３】
囲い体２０の外壁３２を略楕円形であるように示したけれども、外壁３２は、円形、正方形、又は矩形等の別の形状であってもよい。本質的には、任意形状のコネクタの高さ又は外形（プロファイル）は、囲い体の外壁の一部にアーム状係止部が配置されている限り、薄型ソケットコネクタを提供するために小さくすることができる。
【００１４】
図１Ｂ及び図１Ｃに示すように、コネクタ本体１２の後端６４（コネクタ本体１２の前端に配置されたソケットとは逆）には、シール空洞部（シールキャビティ）６８を持つシールハウジング６６が設けられている。このシール空洞部６８内に、シール７０が長さ方向軸線に沿って（ワイヤ１８ａ、１８ｂと平行に）摺動する。次いで、取外し式歪除去体７２が、シールハウジング６６にスナップ嵌めされる。それによって、シール７０をシール空洞部６８内に捕捉することができる。更に、それによって、薄型ソケットコネクタ１０とは無関係のワイヤ１８ａ、１８ｂの移動によって生じる歪を除去することができるように、ワイヤ１８ａ、１８ｂを位置決めできる。
【発明の開示】
【発明が解決しようとする課題】
【００１５】
当該技術分野では、ソケットコネクタ用の取外し式歪除去体に対する必要性を排除すことが、依然として必要とされている。
【課題を解決するための手段】
【００１６】
本発明は、歪除去体及びシール受座を一体に有するソケットコネクタである。
【００１７】
本発明に係るソケットコネクタは、その後端に歪除去部材を含むコネクタ本体を有する。歪除去部材はコネクタ本体に一体に接続されている。歪除去部材は、端子ハウジングと、歪除去体と、シール受座とを含む。シール受座は、左側壁と、右側壁と、上壁とを含むことを特徴とする。これら左側壁、右側壁、及び上壁の各々は、端子ハウジングと歪除去体との間に形成されている。更に、上壁と対向して下開口部が設けられている。この構成に関して、シール受座は、歪除去体の歪除去壁に平行な関係で対面する端子ハウジング壁を有する端子ハウジングを更に有することを特徴とする。歪除去体には、端子空洞部を通過したワイヤを配置するため、ソケットコネクタの端子空洞部と整合した歪除去開口部が設けられている。
【００１８】
作動時には、下開口部を介してゴム弾性（エラストマー）のシールが、下開口部を介してシール受座内に挿入されている。このゴム弾性のシールは、その両側に、周縁リブを有しており、この周縁リブは、端子ハウジング壁及び歪除去壁の夫々とで密封界面を形成している。ゴム弾性のシールは、シール受座に着座したときに端子空洞部及び歪除去開口部と整合する（又は並ぶ）シール開口部を有している。次に、ワイヤの各端部に配置された端子は、整合した歪除去体及びシール開口部の夫々を通して、端子空洞部内を通ることによって、各端子空洞部内に配置され、ソケットコネクタの各端子受座に着座している。端子空洞部は、端子ハウジング壁から延びている。
【００１９】
従って、本発明の目的は、シール受座及び歪除去体を一体に有するソケットコネクタを提供することである。
【００２０】
本発明におけるこの及び追加の目的、特徴、及び利点は、好ましい実施例の以下の記載から更に明らかになるであろう。
【発明を実施するための最良の形態】
【００２１】
次に、添付図面のうち、図２乃至図７を参照すると、これらの図２乃至７は、本発明に係るソケットコネクタ１００、１００’の様々な形態を示している。
ソケットコネクタ１００、１００’は、歪除去体及びシール受座を有しており、該歪除去体及びシール受座は、ソケットコネクタ１００、１００’のコネクタ本体と一体的に形成されている。
【００２２】
図２及び図５で示されるように、ソケットコネクタ１００は、薄型（ロープロファイル）のソケットコネクタ型であることが好ましく、したがって、薄型（ロープロファイル）のソケットコネクタ型である必要は必ずしもない。薄型（ロープロファイル）のソケットコネクタ型は、その全体が、上文中で参照した米国特許第６，８９６，５２４号に開示されているものと同様である。ソケットコネクタ１００は、例えば、その全体が米国特許第６，８９６，５２４号に記載されているように、ソケット及び複数の端子受座が配置された前端１０４を有するコネクタ本体１０２を有している。コネクタ本体１０２は、前端１０４に対向して配置された後端１０５を有している。この後端１０５には、歪除去部材１０６が配置されている。この歪除去部材１０６は、端子ハウジング１０８と、歪除去体１１０と、シール受座１１２と、を含んでいる。歪除去部材１０６は、コネクタ本体１０２に一体的に連結されている。
【００２３】
シール受座１１２は、シール受座囲い体（シールシートシュラウド）１１５によって形成されている。シール受座囲い体１１５は、
端子ハウジング１０８と歪除去体１１０との間を延びる左側壁１１４及び右側壁１１６（図５では示されているが、図２では切り取られている）と；
端子ハウジング１０８と歪除去体１１０との間を延びる上壁１１８と；
左側壁１１４、右側壁１１６及び上壁１１８に対して垂直に配向された端子ハウジング壁１２０と；
歪除去壁（又は端子ハウジング壁１２０）に対して平行に配向された歪除去壁１２２と；
によって構成されている。シール受座１１２は、端子ハウジング１０８と歪除去体１１０との間を延びる上壁１１８に対して、反対側に又は対向して配置された下開口部１２４を有している。
上壁１１８は、端子ハウジング壁１２０と歪除去壁１２２との間を延びる、任意の凹状の切欠き部（ノッチ）１２６を有している。任意の第１固定穴（第１アンカー穴）１２８が、切欠き部１２６と隣接するようにして、端子ハウジング壁１２０に設けられている。任意の第２固定穴（第２アンカー穴）１３０が、切欠き部１２６と隣接するようにして、歪除去壁１２２に設けられている。任意の第３固定穴（第３アンカー穴）１３２が、下開口部１２４と隣接するようにして、歪除去壁１２２に設けられている。任意のスロット（溝部）１３６が、下開口部１２４と隣接するようにして、端子ハウジング１０８に設けられている。
【００２４】
端子ハウジング１０８は、端子ハウジング壁１２０から始まる少なくとも一つ（例えば、２つ）の端子空洞部１３４を有しており、該端子空洞部１３４は、端子が設けられたワイヤ１４０（図７参照）をその内部に受け入れるためのものである。歪除去体１１０及びその歪除去体１１０に関連した歪除去壁１２２は、少なくとも一つ（例えば、２つ）の歪除去開口部１４２を、各端子空洞部１３４に対して一つずつ有しており、これらの歪除去開口部１４２は各端子空洞部１３４と夫々整合している。
【００２５】
製造時において、ソケットコネクタ１００用の金型は、シール受座囲い体１１５内にシール受座１１２を形成するための側中子（サイドコア）を含んでいる。この側中子は、少なくとも一つの端子空洞部１３４を形成するための、一つ又はそれ以上の端子空洞部の中子に対して、垂直な関係で配向されている。
【００２６】
ゴム弾性（エラストマー）のシール１５０が、図３及び図４に示されている。ゴム弾性（エラストマー）のシール１５０は、対称な形状を有しており、前面１５２と、反対側の後面１５４と、これら前面１５２と後面１５４との間を延びる周側面１５６と、を有することを特徴とする。前面１５２及び後面１５４の各々は、周縁リブ１５８ａ、１５８ｂを有している。周側面１５６は、任意の上方突起部（上方ボス）１６０ａと、反対側に配置された任意の下方突起部（下方ボス）１６０ｂと、を有している。これらの上方突起部１６０ａ及び下方突起部１６０ｂの各々の各端には、任意の固定尖端部（アンカーニブ）１６２が夫々設けられている。少なくとも一つのシール開口部１６４が、各端子空洞部１３４に対して一つずつ設けられ、前面１５２と後面１５４との間を延びている。
【００２７】
本発明に係るソケットコネクタ１００の作用を説明する。
【００２８】
ゴム弾性のシール１５０は、下開口部１２４を介してシール受座１１２内に挿入される。この挿入時に、上方突起部１６０ａ及び下方突起部１６０ｂのうちいずれか一方が、上壁１１８の切欠き部１２６内に着座し、固定尖端部１６２は、第１、第２、及び第３の固定穴１２８、１３０、１３２に夫々固定され、（残りの）固定尖端部１６２は、スロット１３６の位置に配置される。
【００２９】
ゴム弾性のシール１５０が、シール受座囲い体１１５のシール受座１１２内に着座した状態で、一つ又はそれ以上の端子空洞部１３４は、一つ又はそれ以上の歪除去開口部１４２及びシール開口部１６４と、夫々整合している。さらに、各周縁リブ１５８ａ、１５８ｂの圧縮により、（ゴム弾性のシール１５０の）前方表面及び後方表面のうちの一方が、端子ハウジング壁１２０のところに密封をなして（又は密封可能に）配置される。あまり重要ではないけれども、（ゴム弾性のシール１５０の）前方表面及び後方表面のうちの他方もまた、歪除去壁１２２のところにも密封をなして（又は密封可能に）配置される。次に、ワイヤ１４０の各端部に配置された端子は、夫々整合した歪除去開口部１４２及びシール開口部１６４を貫通して端子空洞部１３４内へ挿入されることによって、各端子空洞部１３４内に配置され、ソケットコネクタ１００の各端子受座に着座する。
・    図６及び図７は、ゴム弾性のシール１５０’が上述した上方突起部１６０ａ、下方突起部１６０ｂ及び固定尖端部１６２、を有しないソケットコネクタ１００’を示している。この構成では、ソケットコネクタ１００’は、上述のスロット１３６が無い端子ハウジング１０８’と、上述の第１固定穴１２８が無い端子ハウジング壁と、上述の切欠き部１２６が無い上壁と、上述の第２及び第３の固定穴１３０、１３２が無い歪除去体１１０’と、を更に有している。この実施例では、ゴム弾性のシール１５０’は、本明細書の上文中で説明したように、下開口部を通してシール受座内に受け入れられ、ゴム弾性のシール１０５’が圧力ばめされることによって、ゴム弾性のシール１０５’がシール受座内に着座した状態で保持される。
【００３０】
本発明が属する技術分野の当業者は、上記説明された好ましい実施例に変形及び変更を加えることができる。このような変形及び変更は、付随する特許請求の範囲のみによって限定される本発明の範囲から逸脱することなく行うことができる。
【図面の簡単な説明】
【００３１】
【図１Ａ】図１Ａは、従来技術のソケットコネクタを前方から見た部分断面を含む斜視図である。
【図１Ｂ】図１Ｂは、従来技術のソケットコネクタを後方から見た斜視図であり、歪除去体がソケットコネクタのシールハウジングにスナップ式に取り付けられていない、プラグコネクタと関連して作動している状態を示す図である。
【図１Ｃ】図１Ｃは、歪除去体がシールハウジングにスナップ式に取り付けられた、図１Ｂに示す従来技術のソケットコネクタの斜視図である。
【図２】図２は、本発明に係る、一体の歪除去部材を有するソケットコネクタを後方から見た斜視図であり、シール受座の一部が切り取られて省略されている斜視図である。
【図３】図３は、本発明に係るシールを前方から見た斜視図である。
【図４】図４は、図３のシールを後方から見た斜視図である。
【図５】図５は、図２のソケットコネクタを後方から見た第２の斜視図であり、シール受座を見ることができる。
【図６】図６は、図２のソケットコネクタの第２実施例を後方から見た斜視図であり、図６の斜視図には、図３及び図４のシールに設けられた突起部及び固定尖端部が設けられていない。
【図７】図７は、図６のソケットコネクタを後方から見た斜視図であり、ワイヤがソケットコネクタの端子空洞部の夫々に作動的に挿入されており且つ着座されている。
【符号の説明】
【００３２】
１００  ソケットコネクタ
１０２  コネクタ本体
１０４  前端
１０５  後端
１０６  歪除去部材
１０８  端子ハウジング
１１０  歪除去体
１１２  シール受座
１１４  左側壁
１１６  右側壁
１１５  シール受座囲い体
１１８  上壁
１２０  端子ハウジング壁
１２２  歪除去壁
１２４  下開口部
１２６  切欠き部
１２８  第１固定穴
１３０  第２固定穴
１３２  第３固定穴
１３４  端子空洞部
１３６  スロット
１４０  ワイヤ
１４２  歪除去開口部
１５０  ゴム弾性のシール
１５２  前面
１５４  後面
１５６  周側面
１５８ａ、１５８ｂ  周縁リブ
１６０ａ  上方突起部  
１６０ｂ  下方突起部
１６２  固定尖端部
１６４  シール開口部
【図１Ａ】
2007200863.tif 000003
【図１Ｂ】
2007200863.tif 000004
【図１Ｃ】
2007200863.tif 000005
【図２】
2007200863.tif 000006
【図３】
2007200863.tif 000007
【図４】
2007200863.tif 000008
【図５】
2007200863.tif 000009
【図６】
2007200863.tif 000010
【図７】
2007200863.tif 000011
【外国語明細書】
2007200863000001.pdf